(57)【要約】【課題】ワンタッチロック構造でありながら、線材の太さや本数によらず防護ネットを支持して支柱に抱持固定できる防護ネット支持金具を提供すること。【解決手段】支柱２を抱持する抱持内面４を備えた一対の抱持半体３の一端部同士を枢着し、一方の抱持半体３の他端部に係止凸部５を設け、他方の抱持半体３の他端部に係止凸部５を係脱自在に圧入係止可能な係合部６を設け、この係止凸部５が係合部６に落ち込み圧入係止することにより一対の抱持半体３の他端部同士を連結して一対の抱持半体３を支柱２に取り付け固定し得るように構成し、この抱持半体３の抱持内面４に、抱持半体３の外方に凹む線材収容凹部７を設けた防護ネット支持金具。【選択図】図４
2016059294.tif 000002
【特許請求の範囲】
【請求項１】
防護ネット張設用の支柱に防護ネットを支持する防護ネット支持金具であって、前記支柱の外周面を抱持する抱持内面を備えた一対の抱持半体の一端部同士を枢着し、一方の抱持半体の他端部に係止凸部を設けると共に、他方の抱持半体の他端部に前記係止凸部を係脱自在に圧入係止可能な係合部を設け、一方の抱持半体に対し他方の抱持半体を閉動させて係止凸部が係合部に落ち込み圧入係止することにより、一対の抱持半体の他端部同士を連結して前記支柱を抱持し一対の抱持半体を支柱に取り付け固定し得るように構成し、この抱持半体の前記抱持内面に、抱持半体の外方に凹む線材収容凹部を、この抱持半体で抱持する前記支柱の長さ方向に沿った長さを有する凹溝状に形成して設け、この線材収容凹部に、前記支柱に沿って配設される前記防護ネットの線材を収容して一対の抱持半体で支柱を抱持することにより、防護ネットの線材が支柱の外周面に圧接することなく一対の抱持半体を支柱に前記取り付け固定し得るように構成したことを特徴とする防護ネット支持金具。
【請求項２】
前記線材収容凹部は、前記防護ネットの線材を複数本収容可能な形状に形成したことを特徴とする請求項１記載の防護ネット支持金具。
【請求項３】
前記一対の抱持半体のいずれか一方の一端部付近に、前記線材収容凹部を設けたことを特徴とする請求項１，２のいずれか１項に記載の防護ネット支持金具。
【発明の詳細な説明】
【技術分野】
【０００１】
本発明は、防護ネットを支柱に支持する防護ネット支持金具に関するものである。
【背景技術】
【０００２】
田畑では、従来からその周囲に金網などの防護ネットを張り巡らすことで、農作物が猪，鹿，猿などの野生動物に食い荒らされることを防止している。
【０００３】
具体的には、この種の防護ネットは、針金や鉄線等の金属線材を種々の網状に編んで組成され、この金属線材にビニールコーティングが施されて耐蝕性を持たせたものが主流であり、田畑の周囲に立設された複数の支柱に支持されることによって支柱間に張設されている。
【０００４】
また、防護ネットの支柱への支持方法としては、例えば、支柱に締付抱持固定可能なクランプ金具を用いて、このクランプ金具を支柱に抱持固定する際に防護ネットの線材を共締めすることによって支柱に防護ネットを支持する方法が知られている。
【発明の概要】
【発明が解決しようとする課題】
【０００５】
上記したクランプ金具を用いる防護ネットの支持方法は、非常に簡単な方法であるものの、多数のクランプ金具を複数の支柱に対し締付抱持固定（防護ネットの線材も共締め）する作業は、手間と時間を要する作業となってしまう。
【０００６】
そこで、出願人は、締付ではなく所謂ワンタッチロックで支柱に抱持固定できるような金具であれば、防護ネットの支持作業が一層容易に且つ短時間のうちに行われて実用性が増すのではないかと考えた。
【０００７】
しかし、ワンタッチロック構造を採用すると、締付構造と異なり抱持金具の径調整ができなくなるため、支柱と一緒に抱持する防護ネットの線材の太さや本数によっては抱持ロックできないケースが懸念される。
【０００８】
本出願人は、このような商品開発背景に鑑みて更に試行錯誤した末に、支柱への固定作業性に優れたワンタッチロック構造でありながら、一緒に抱持する線材の太さなどによらず防護ネットを支持して支柱に取り付け固定できる実用性に優れた防護ネット支持金具を完成させるに至った。
【課題を解決するための手段】
【０００９】
添付図面を参照して本発明の要旨を説明する。
【００１０】
防護ネット１張設用の支柱２に防護ネット１を支持する防護ネット支持金具であって、前記支柱２の外周面を抱持する抱持内面４を備えた一対の抱持半体３の一端部同士を枢着し、一方の抱持半体３の他端部に係止凸部５を設けると共に、他方の抱持半体３の他端部に前記係止凸部５を係脱自在に圧入係止可能な係合部６を設け、一方の抱持半体３に対し他方の抱持半体３を閉動させて係止凸部５が係合部６に落ち込み圧入係止することにより、一対の抱持半体３の他端部同士を連結して前記支柱２を抱持し一対の抱持半体３を支柱２に取り付け固定し得るように構成し、この抱持半体３の前記抱持内面４に、抱持半体３の外方に凹む線材収容凹部７を、この抱持半体３で抱持する前記支柱２の長さ方向に沿った長さを有する凹溝状に形成して設け、この線材収容凹部７に、前記支柱２に沿って配設される前記防護ネット１の線材８を収容して一対の抱持半体３で支柱２を抱持することにより、防護ネット１の線材８が支柱２の外周面に圧接することなく一対の抱持半体３を支柱２に前記取り付け固定し得るように構成したことを特徴とする防護ネット支持金具に係るものである。
【００１１】
また、前記線材収容凹部７は、前記防護ネット１の線材８を複数本収容可能な形状に形成したことを特徴とする請求項１記載の防護ネット支持金具に係るものである。
【００１２】
また、前記一対の抱持半体３のいずれか一方の一端部付近に、前記線材収容凹部７を設けたことを特徴とする請求項１，２のいずれか１項に記載の防護ネット支持金具に係るものである。
【発明の効果】
【００１３】
本発明は上述のように構成したから、一方の抱持半体に対し他方の抱持半体を閉動させて係止凸部を係合部に圧入係止するだけの所謂ワンタッチ操作で本防護ネット支持金具を介して支柱に防護ネットを支持でき、しかも、この際、防護ネットの線材を抱持半体の外方に凹む線材収容凹部に収容できるので、この線材が支柱の外周面に圧接して抱持半体の閉動が阻害されるようなことがなく、確実にワンタッチ操作で係止凸部を係合部に圧入係止して線材を支持できる極めて作業性・実用性に優れた防護ネット支持金具となる。
【００１４】
また、請求項２記載の発明においては、線材収容凹部に防護ネットの線材を複数本収容でき、これにより例えば隣接する防護ネットの端部同士を接続状態にして支持するような使い方も可能となるなど、一層実用性に優れた構成の防護ネット支持金具となる。
【００１５】
また、請求項３記載の発明においては、一対の抱持半体の開閉動作の影響を比較的受けにくい枢着部付近に線材収容凹部を設けたから、線材収容凹部に防護ネットの線材を収容したままで一対の抱持半体を閉動させて支柱に取り付け固定する作業を容易に行うことができ、しかも一対の抱持半体のいずれか一方にだけ線材収容凹部を設けるから、一対の抱持半体の双方に線材収容凹部を設ける場合に比べて簡易構造となり、これにより一層容易に且つ安価に設計実現可能となるなど、一層作業性・実用性に優れた構成の防護ネット支持金具となる。
【図面の簡単な説明】
【００１６】
【図１】本実施例を示す斜視図である。
【図２】本実施例を示す、一対の抱持半体を開いた状態の斜視図である。
【図３】本実施例の使用状態を示す概略説明斜視図である。
【図４】本実施例の使用状態を示す拡大斜視図である。
【図５】本実施例の使用状態を示す拡大平断面図である。
【図６】本実施例の自在連結金具を示す平面図である。
【図７】本実施例の自在連結金具の使用状態を示す拡大斜視図である。
【発明を実施するための形態】
【００１７】
好適と考える本発明の実施形態を、図面に基づいて本発明の作用を示して簡単に説明する。
【００１８】
防護ネット１張設用の支柱２に対し、この支柱２を挟むようにして一対の抱持半体３を配すると共に、抱持半体３の抱持内面４に設けた線材収容凹部７に防護ネット１の線材８を収容し、一方の抱持半体３に対し他方の抱持半体３を閉動させて、一方の抱持半体３の他端部に設けた係止凸部５を他方の抱持半体３の他端部に設けた係合部６に係脱自在に落ち込み圧入係止すると、一対の抱持半体３の他端部同士が連結して抱持内面４が防護ネット１張設用の支柱２を抱持し、これにより一対の抱持半体３が支柱２に取り付け固定されると共に、この支柱２の長さ方向に沿って本防護ネット支持金具に防護ネット１の線材８が支持されることになる（本防護ネット支持金具を介して支柱２に防護ネット１が支持されることになる。）。
【００１９】
即ち、一方の抱持半体３に対し他方の抱持半体３を閉動させて係止凸部５を係合部６に圧入係止するだけの所謂ワンタッチ操作で本防護ネット支持金具を介して支柱２に防護ネット１を容易に支持でき、またこの際、抱持半体３の外方に凹む線材収容凹部７に収容された防護ネット１の線材８は、抱持内面４より外方に存して支柱２の外周面に圧接することがないので、一対の抱持半体３が線材８の存在によって閉動完了（係止凸部５が係合部６に圧入係止）できなくなることはなく、確実に上記ワンタッチ操作だけで線材８を支持できる。
【実施例】
【００２０】
本発明の具体的な実施例について図面に基づいて説明する。
【００２１】
本実施例の防護ネット支持金具は、図１，図２に示すように、金属製の帯板材を略半円弧状に折曲形成して構成した一対の抱持半体３の一端部同士を枢着し、この枢着部を支点に他端部同士を開閉回動自在に設け、この他端部同士を閉動した際に他端部同士を係止連結可能に設けて、この他端部同士を係止連結することにより環状となる抱持体Ａを構成している。
【００２２】
また、各抱持半体３は、その長さ方向に沿った補強リブ条９を形成することで補強すると共に、この各抱持半体３の内側板面を、前記支柱２の外周面を抱持する抱持内面４としている。
【００２３】
この抱持体Ａの各抱持半体３他端部同士の係止連結構造は、一方（図１，図２において左側）の抱持半体３の他端部に係止凸部５を設けると共に、他方（図１，図２において右側）の抱持半体３の他端部に前記係止凸部５を係脱自在に圧入係止可能な係合部６を設け、一方の抱持半体３に対し他方の抱持半体３を閉動させて係止凸部５が係合部６に落ち込み圧入係止することにより一対の抱持半体３の他端部同士を連結する構造としている。そして、この他端部同士の連結により環状となった抱持体Ａの各抱持内面４が前記支柱２の外周面に抱持圧接して一対の抱持半体３（環状の抱持体Ａ）が支柱２に対し位置決め状態で取り付け固定し得るように構成している。
【００２４】
即ち、本実施例では、一方の抱持半体３に対し他方の抱持半体３を閉動させて係止凸部５を係合部６に圧入係止するだけの所謂ワンタッチ操作で双方の抱持半体３の他端部同士を係止連結できる構成としている。
【００２５】
更に具体的には、一方の抱持半体３の他端部から切り出した切り出し片をくの字状に屈曲させて抱持半体３の外方へ突出させ、この屈曲突出部を前記係止凸部５としている。
【００２６】
また、他方の抱持半体３の他端部の板面に角形の窓孔を開口（貫通）形成し、この窓孔を前記係止凸部５が落ち込み圧入係止する前記係合部６としている。
【００２７】
即ち、開放した抱持体Ａ内に支柱２を配して閉じる際、一方の抱持半体３の他端部を内方へ押圧することにより撓ませるか、他方の抱持半体３の他端部を外方へ押圧することにより撓ませて係止凸部５を係合部６に係止させると、撓み復帰力により係止凸部５は係合部６に落ち込み係止し、再び撓ませない限り外れ止め（開き止め）状態となるように構成している。
【００２８】
また、他方の抱持半体３は、その他端を外方へ傾斜折曲してこの傾斜端部を指掛け部10とし、この指掛け部10に使用者が指を掛けて抱持体Ａ（一対の抱持半体３）を容易に開閉操作し得るようにしている。
【００２９】
本実施例は、この抱持半体３の前記抱持内面４に、抱持半体３の外方に凹む線材収容凹部７を、この抱持半体３で抱持する前記支柱２の長さ方向に沿った長さを有する凹溝状に形成して設け、この線材収容凹部７に、前記支柱２に沿って配設される前記防護ネット１の縦線材８を収容して一対の抱持半体３で支柱２を抱持することにより、防護ネット１の縦線材８が支柱２の外周面に圧接することなく一対の抱持半体３を支柱２に前記取り付け固定し得るように構成している。尚、防護ネット１の説明は、背景技術の項の説明と重複するので省略する。
【００３０】
具体的には、前記線材収容凹部７は、他方の抱持半体３の一端部付近（枢着部付近）に、この他方の抱持半体３の長さ方向（抱持体Ａの周方向）と直交する方向（図示上下方向）の幅いっぱいに設けている。
【００３１】
また、この線材収容凹部７は、他方の抱持半体３の抱持内面４の枢着部付近に、例えば金属プレス加工等によってこの抱持半体３の外周面が凸所となる凹所を設けて構成している。即ち、本実施例の線材収容凹部７は、例えば既存の金属プレス加工等により容易に設計実現可能である。
【００３２】
また、この線材収容凹部７は、防護ネット１の縦線材８を一本からでも収容できるが、抱持体Ａの周方向に、防護ネット１の縦線材８を複数本並べた状態で収容可能（図４，図５は二本収容した場合を示している。）な凹溝幅を有する形状に設定構成し、これにより図３に示すように図示左側の支柱２位置で二体の防護ネット１の端部同士を隣接状態で突き合わせ、隣接する各防護ネット１の突き合せ端部の縦線材８を一つの抱持体Ａの線材収容凹部７に収容して、二体の防護ネット１を接続状態に支持することもでき、この状態でも二本の縦線材８が支柱３の外周面に圧接せずに支持される構成としている。
【００３３】
また、本実施例の抱持体Ａは、一方の抱持半体３の長さ方向の中ほどに軸受孔12を貫通形成している。この軸受孔12は、回動軸部11を軸支するためのもので、この軸受孔12に軸支した回動軸部11により二体の抱持体Ａ同士を背合わせにして互いに回動自在に枢着連結することにより、図６，図７に示すような自在連結金具Ｆを構成可能である。
【００３４】
そして、本実施例では、この自在連結金具Ｆと前記抱持体Ａとを用いて、図３に示すような防護ネット１による囲いを構築した場合を示している。また、本実施例では、自在連結金具Ｆの具体的な使い方として、自在連結金具Ｆの一方の抱持体Ａを前記縦線材８とともに支柱２に取り付け固定し、他方の抱持体Ａを支柱２に対し斜設状態に配される倒れ防止用の補助柱13に取り付け固定した場合、即ち自在連結金具Ｆを介して支柱２と補助柱13とを連結した場合（他方の抱持体Ａは、防護ネット支持金具としてではなく、柱材連結金具として使用した場合）を示している。
【００３５】
尚、本発明は、本実施例に限られるものではなく、各構成要件の具体的構成は適宜設計し得るものである。
【符号の説明】
【００３６】
１  防護ネット
２  支柱
３  抱持半体
４  抱持内面
５  係止凸部
６  係合部
７  線材収容凹部
８  線材
【図１】
2016059294.tif 000003
【図２】
2016059294.tif 000004
【図３】
2016059294.tif 000005
【図４】
2016059294.tif 000006
【図５】
2016059294.tif 000007
【図６】
2016059294.tif 000008
【図７】
2016059294.tif 000009